(57)【要約】【課題】  一般需要家が楽しみながらエネルギ消費削減を達成する。【解決手段】  一需要家である登録会員12が通信端末14を用いて通信ネットワーク回線16を介して管理センタ20の管理サーバ22にログインするログイン段階S1と、管理サーバが登録会員を特定し、登録会員の過去のエネルギ使用実績Rから今後の一定期間のエネルギ削減目標Gを作成して登録会員の通信端末の画面に表示させるとともに、エネルギ削減目標を達成できるか否かを試みる節約チャレンジへの参加申し込みを促すエネルギ削減目標送信段階S2と、登録会員が画面上に表示されたエネルギ削減目標を参照し、節約チャレンジへの参加申し込みを行う参加申込段階S4と、一定期間経過後に管理サーバがエネルギ削減目標の達成度に応じたポイントPを登録会員に付与するポイント付与段階S5と、登録会員が付与されたポイントを金品や各種サービスと交換するポイント利用段階S6と、を備える。【選択図】  図３
2006163610.tif 000002
【特許請求の範囲】
【請求項１】
一需要家である登録会員（１２）が通信端末（１４）を用いて通信ネットワーク回線（１６）を介して管理センタ（２０）の管理サーバ（２２）にログインするログイン段階（Ｓ１）と、
前記管理サーバが登録会員を特定し、該登録会員の過去のエネルギ使用実績（Ｒ）から今後の一定期間のエネルギ削減目標（Ｇ）を作成して該登録会員の通信端末の画面に表示させるとともに、該エネルギ削減目標を達成できるか否かを試みる節約チャレンジへの参加申し込みを促すエネルギ削減目標送信段階（Ｓ２）と、
前記登録会員が画面上に表示されたエネルギ削減目標を参照し、前記節約チャレンジへの参加申し込みを行う参加申込段階（Ｓ４）と、
前記一定期間経過後に管理サーバがエネルギ削減目標の達成度に応じたポイント（Ｐ）を前記登録会員に付与するポイント付与段階（Ｓ５）と、
登録会員が付与されたポイントを金品や各種サービスと交換するポイント利用段階（Ｓ６）と、を備えたことを特徴とする省エネ活動奨励方法。
【請求項２】
前記エネルギ削減目標送信段階（Ｓ２）では、前記登録会員（１２）の過去のエネルギ使用実績（Ｒ）を該登録会員の通信端末（１４）の画面に表示させる、ことを特徴とする請求項１に記載の省エネ活動奨励方法。
【請求項３】
前記エネルギ削減目標送信段階（Ｓ２）でのエネルギ削減目標（Ｇ）の値は、同地域かつ同契約体系の需要家の前年または過去数年のエネルギ使用量／エネルギ使用料金の平均値と前記登録会員（１２）の前年のエネルギ使用量／エネルギ使用料金との差を基礎データとして導出される、ことを特徴とする請求項１又は２に記載の省エネ活動奨励方法。
【請求項４】
前記エネルギ削減目標（Ｇ）のエネルギは電力であって、
前記管理サーバ（２２）が家庭用電化製品一覧を登録会員（１２）の通信端末（１４）の画面に表示させるとともに、該電化製品一覧の中から省エネを実践したい電化製品の選択を求め、各電化製品に関する省エネ術（Ｈ）を格納した省エネ術データベース（３３）から選択された電化製品に関する省エネ術を抽出し、該エネ術を登録会員の通信端末の画面に表示させる省エネ術提供段階（Ｓ３）を更に備えた、ことを特徴とする請求項１乃至３に記載の省エネ活動奨励方法。
【発明の詳細な説明】
【技術分野】
【０００１】
本発明は、家庭で使用される電力、ガス等のエネルギーの消費量を低減することを目的とする省エネ活動奨励方法に関する。
【背景技術】
【０００２】
現在、地球温暖化などの環境問題が深刻化しており、環境負荷を軽減するための省エネ活動の促進が切望されている。近年では省エネ目標の達成のため、電力事業者やガス事業者に対して、家庭やオフィス向けの省エネ削減目標を設定させる制度の導入が検討されている（日刊工業新聞２００４年０３月４日  省エネ法改正に関する記事）。
ここで一般家庭の需要家（以下単に「一般需要家」という。）に省エネ意識をもってもらい、省エネのための行動を実行してもらうためには、どのようにすれば省エネが図れるかという情報を充実させ、これを分かり易い形で提供することが必要となる。
【０００３】
本願出願人である電力会社では、インターネットのホームページや印刷物に加え、「ホームコンサルタント」と呼ばれるエネルギ消費生活に関する専門家によって省エネ等に向けた情報の提供を行っている。ホームコンサルタントは家庭におけるエネルギ（主として電気）の効率的な利用方法や暮らしに密着したエネルギ知識に精通した社外の委託者（主に主婦）であり、中国地区各地において約１５０名が活動している。ホームコンサルタントはこれらの知識をもとに、需要家と幅広く「省エネ＝節約」に関する情報交換を行う仕組みの中核を担っている。
【０００４】
以上のように本願出願人の電力会社は、インターネットのホームページや印刷物およびホームコンサルタントによって省エネに関する情報を提供することで、一般需要家の省エネ活動の啓発を図っている。
【０００５】
しかしながらインターネットのホームページや印刷物による省エネ活動の啓発では、省エネに役立つ情報が一般需要家に単に提供されるのみであり、個々の需要家のエネルギ使用実態を考慮したエネルギの削減目標が提示されることはなかった。また、ホームコンサルタントによる省エネ活動の啓発では、対面方式の聞き取りにより個々の需要家のエネルギ使用実態を考慮したエネルギの削減目標を提示することができるものの、ホームコンサルタントが対応できる需要家の人数には限界があった。さらに、ホームコンサルタントの指導の下、一般需要家がエネルギ削減目標を達成した場合にも、エネルギ使用料金の低減といった料金メリット以外の報奨がなく、一般需要家が省エネ活動に積極的に取り組むようにするためのインセンティブが十分であるとはいえなかった。
【０００６】
本願出願人はこれまでも一般需要家の省エネ活動を奨励するため、毎月配布される検針票（料金票）まとめるとともにエネルギの使用実態を把握させることで、省エネの意識付けや料金メリットのある時間帯での電気機器の使用を促進することを目的とした特許文献１に記載のエネルギ管理手帳（未公開）を発案している。
【特許文献１】特願２００４−１７７８３７
【発明の開示】
【発明が解決しようとする課題】
【０００７】
上述したようにホームページや印刷物、ホームコンサルタントやエネルギ管理手帳による省エネの啓発活動にはそれぞれ一長一短があるが、いずれの方法による啓発活動も省エネによる料金メリットの他にさらに魅力的なインセンティブを一般需要家に提供してより一層のエネルギ削減活動を奨励するものではなく、そのため未だ十分な省エネを達成することができないといった問題を有していた。
【０００８】
本発明は上記問題を解決するためになされたもので、一般需要者である登録会員に具体的なエネルギ削減目標を提示するとともに、実際にエネルギ削減に取り組んで結果を出した登録会員には所定の報奨を与えることで省エネ活動を奨励し、一般需要家が楽しみながらエネルギ消費削減を達成することが可能な省エネ活動奨励方法を提供することを目的とする。
【課題を解決するための手段】
【０００９】
上記目的を達成するため請求項１に記載の省エネ活動奨励方法は、一需要家である登録会員（１２）が通信端末（１４）を用いて通信ネットワーク回線（１６）を介して管理センタ（２０）の管理サーバ（２２）にログインするログイン段階（Ｓ１）と、前記管理サーバが登録会員を特定し、該登録会員の過去のエネルギ使用実績（Ｒ）から今後の一定期間のエネルギ削減目標（Ｇ）を作成して該登録会員の通信端末の画面に表示させるとともに、該エネルギ削減目標を達成できるか否かを試みる節約チャレンジへの参加申し込みを促すエネルギ削減目標送信段階（Ｓ２）と、前記登録会員が画面上に表示されたエネルギ削減目標（Ｇ）を参照し、前記節約チャレンジへの参加申し込みを行う参加申込段階（Ｓ４）と、  前記一定期間経過後に管理サーバがエネルギ削減目標の達成度に応じたポイント（Ｐ）を前記登録会員に付与するポイント付与段階（Ｓ５）と、登録会員が付与されたポイントを金品や各種サービスと交換するポイント利用段階（Ｓ６）と、を備えたことを特徴とする。
【００１０】
請求項２に記載の省エネ活動奨励方法は、前記エネルギ削減目標送信段階（Ｓ２）では、前記登録会員（１２）の過去のエネルギ使用実績（Ｒ）を該登録会員の通信端末（１４）の画面に表示させる、ことを特徴とする。
【００１１】
請求項３に記載の省エネ活動奨励方法は、前記エネルギ削減目標送信段階（Ｓ２）でのエネルギ削減目標（Ｇ）の値は、同地域かつ同契約体系の需要家の前年または過去数年のエネルギ使用量／エネルギ使用料金の平均値と前記登録会員（１２）の前年のエネルギ使用量／エネルギ使用料金との差を基礎データとして導出される、ことを特徴とする。
【００１２】
請求項４に記載の省エネ活動奨励方法は、前記管理サーバ（２２）が家庭用電化製品一覧を登録会員（１２）の通信端末（１４）の画面に表示させるとともに、該電化製品一覧の中から省エネを実践したい電化製品の選択を求め、各電化製品に関する省エネ術を格納した省エネ術データベース（３３）から選択された電化製品に関する省エネ術を抽出し、該エネ術を登録会員の通信端末の画面に表示させる省エネ術提供段階（Ｓ３）を更に備えた、ことを特徴とする。
【発明の効果】
【００１３】
請求項１に記載の発明によれば、エネルギー供給会社の管理サーバが、一需要家である登録会員にその過去のエネルギ使用実績を考慮したエネルギ削減目標を提示して節約チャレンジへの参加を受け付け、登録会員が省エネ活動に取り組んだ結果のエネルギ削減目標の達成度に応じた報奨を受けることができるようにすることで、登録会員は単に漠然と省エネ活動を行うのではなく、ポイントを商品と交換するために、決められたエネルギ削減目標に向けて楽しみながらかつ積極的に省エネ活動に取り組むことが期待される。
【００１４】
請求項２に記載の発明によれば、例えばその登録会員の過去のエネルギ使用実績（エネルギ使用量）を本年度のエネルギ削減目標（エネルギ目標使用量）と併記して提示してやることで、登録会員は以前と比べてどの程度のエネルギ削減を達成する必要があるかを直感することができる。
【００１５】
請求項３に記載の発明によれば、登録会員のエネルギ削減目標を、同地域かつ同契約体系の需要家のエネルギ使用量やエネルギ使用料金の平均値を基準に導出することで、一般的に達成することができる妥当なエネルギ削減目標を登録会員に提示することができる。なお、登録会員のエネルギ使用量等が同地域かつ同契約体系の需要家のエネルギ使用量よりも既に少ない場合には、さらなる省エネ達成のためのエネルギ削減目標が提示されることになる。
【００１６】
請求項４に記載の発明によれば、前記エネルギ削減目標（Ｇ）のエネルギは電力であって、登録会員（一般需要家）が所有する電化製品に関する省エネ術をエネルギ供給会社が登録会員に提供することにより、登録会員はどのようにして省エネ活動に取り組めばよいのかについての情報を得ることができ、これにしたがって登録会員が省エネ活動に取り組むことで提示されたエネルギ削減目標を効率的に達成することができる。なお、省エネ術にはこれを実施した場合に、どれくらいのエネルギ量を削減することができるかについての情報も含まれる。
【発明を実施するための最良の形態】
【００１７】
以下、本発明の好ましい実施形態を図面を参照して説明する。図１は、本発明の省エネ活動奨励方法を実施するためのシステムの全体構成を示した概念図である。なお以下の実施例では、電力の省エネ活動を奨励する方法について説明する。
【００１８】
本発明の省エネ活動奨励方法を実施するための省エネ活動奨励システム１０は、一需要家である登録会員１２が所有するパーソナルコンピュータや携帯電話等の通信端末１４と、登録会員との間で情報の授受を行うとともにエネルギ供給会社（電力会社）が運営する管理センタ２０に設けられた管理サーバ２２と、から構成されている。
登録会員１２の通信端末１４と管理サーバ２２は、通信ネットワーク回線４を通じてインターネットに接続できるようになっており、夫々の装置の間ではインターネットプロトコル（ＴＣＰ／ＩＰ）を用いた情報の授受が行われる。
【００１９】
登録会員１２の通信端末１４は、キーボード、マウス等を使用して情報を入力するための入力装置と、中央演算処理装置により各種情報の処理を行う処理装置と、処理装置からの出力信号を可視的に表示する出力装置と、を有し、ホームページ閲覧機能および電子メール送受信機能を備えている。登録会員１２は、ウェブブラザやウェブメールを利用して通信端末１４から管理サーバ２２にアクセスし、管理サーバとの間で情報の授受を行う。
【００２０】
図２は管理サーバ２２の構成を示したブロック図である。
管理センタ２０は、登録会員１２を管理し、登録会員にエネルギ削減目標やエネルギ使用実績を提示し、一定のエネルギ削減を達成した登録会員に金銭的価値のあるポイントを付与等するための各種アプリケーション・プログラムを提供するアプリケーション・サービス・プロバイダである。
管理センタ２０に設けられた管理サーバ２２は、ｗｅｂサーバ１とデータベースサーバ２とから構成されている。各サーバは、入力装置、各種情報の処理を行う処理装置、出力装置とを有しており、ｗｅｂサーバ１は通信ネットワーク回線４を通じてインターネットに常時接続し、データベースサーバ２はｗｅｂサーバ１と接続されてこれと相互にデータの授受を行う。
【００２１】
ｗｅｂサーバ１は、要求されたＵＲＬ（Uniform Resource Locator）の表示送信、登録会員１２のホームページ上から行った節約チャレンジへの参加申し込みの受け付け等を行う送受信部５と、送受信部や後述のデータベースサーバ２との間でやり取りがされるデータの処理を行いホームページのページデータを作成する第１演算部６を有している。
【００２２】
データベースサーバ２は、ｗｅｂサーバ１の第１演算部６からの要求信号に対して必要な情報の検索や抽出、更新を行う第２演算部７と、各種情報を格納するデータベース記憶部８を有している。
第２演算部７は、第１演算部６からの要求信号に対して、登録会員１２の登録・検索・抽出・データ更新等を行う会員情報処理プログラム、登録会員１２のエネルギ削減目標を作成する削減目標作成プログラム、登録会員の過去のエネルギ使用実績を示す表を作成する使用実績作表プログラム、登録会員が所有する電化製品に関する省エネ術を登録会員に提供するための省エネ術抽出プログラム、エネルギ削減目標の達成度に応じたポイントを登録会員１２に付与するためのポイント付与プログラム、ポイントの商品への交換を行うポイント利用プログラム等を実行する。
データベース記憶部８には、登録会員１２の住所および氏名、電気契約者番号、メールアドレスおよび登録会員の少なくとも過去１年分のエネルギ使用実績（電力使用量のデータ）等が格納されたユーザ情報データベース３１と、家庭で用いられる電化製品それぞれについての省エネ術を格納した省エネ術データベース３３と、所定の地域毎かつ契約体系毎に区分された需要家の前年（または過去数年）の電力使用量の平均値を登録した平均エネルギ使用量データベース３５、およびポイントを商品に交換するための商品群が格納された商品データベース３７が備えられている。
なお、ユーザ情報データベース３１に登録会員毎のエネルギ使用実績のデータを蓄える代わりに、管理サーバ２２がエネルギ供給会社のホストコンピュータ４３に接続することで登録会員１２のエネルギ使用量データの提供を受けることができる構成とすることもできる。
【００２３】
次にこの省エネ活動奨励システム１０を用いた省エネ活動奨励方法について、図面を用いて説明する。図３は管理センタ２０と、一需要家である登録会員１２間との情報の授受を表したフローである。
【００２４】
［会員登録段階（Ｓ０）］
この段階は、電力の一需要家である契約者が、電力の削減目標達成への挑戦を行う節約チャレンジへの参加申し込みの前段階として、自己の保有する通信端末を用いて管理センタに会員登録を行う段階である。
告知用ホームページや広告、知人からの口コミで節約チャレンジの存在を知った需要家は、節約チャレンジへの参加する会員としての会員登録を行うために、自己の所有するパーソナルコンピュータ等の通信端末１４のインターネットブラウザを用いて、会員登録用に用意されたホームページのＵＲＬを入力して管理センタ２０の管理サーバ２２にアクセスする。管理サーバ２２のｗｅｂサーバ１は、需要家の通信端末１４に会員登録画面のページデータを送信し、需要家は画面に表示された案内に従って利用規約に同意し、住所および氏名、電気契約者番号、電話番号、メールアドレスなどの個人情報を入力する。入力された氏名等の所定事項は、データベースサーバ２の第２演算部７の会員情報処理プログラムにより処理された後に、ユーザ情報データベース３１に格納される。
最後に会員登録が完了した旨を伝えるページデータがｗｅｂサーバ１から需要家（登録会員１２）に送信され、これが登録会員の通信端末１４の画面に表示されるとともに、電子メールにより登録会員にＩＤとパスワードが発行される。この電子メールにはまた節約チャレンジに申し込みを行うために用意されたホームページのＵＲＬがハイパーリンク形式で記載されている。なおＩＤおよびパスワードもユーザ情報データベース３１に格納される。
【００２５】
［ログイン段階（Ｓ１）］
この段階は、登録会員が節約チャレンジへの参加申し込みをするために、管理センタの管理サーバにログインする段階である。
登録会員１２は、ＩＤおよびパスワード発行時に受信した電子メールに記載されたＵＲＬをクッリクして管理センタ２０の管理サーバ２２にアクセスし、画面に表示されるＩＤおよびパスワードの入力の求めに対して発行されたＩＤおよびパスワードを入力しこれを送信する。
送受信部５によりＩＤおよびパスワードを受信したｗｅｂサーバ１は、第１演算部６からデータベースサーバ２の第２演算部７にその情報を送り、第２演算部７はユーザ情報データベース３１に格納された会員情報と受け取ったＩＤおよびパスワードとを照合して、これらが一致する場合には管理サーバ２２へのログインを許可する。
【００２６】
［エネルギ削減目標送信段階（Ｓ２）］
この段階は、登録会員を特定した管理センタの管理サーバがその登録会員の過去のエネルギ使用実績からエネルギ削減目標を作成して、これをその登録会員に提示する段階である。
登録会員１２のログインを許可した管理サーバ２２は、データベースサーバ２の第２演算部７によりユーザ情報データベース３１に格納されたその登録会員のエネルギ使用実績（電力使用量のデータ）を抽出する。そして第２演算部７は使用実績作表プログラムを実行することにより登録会員１２の前年のエネルギ使用実績を示すデータテーブルを作成してこれをｗｅｂサーバ１に送る。
また第２演算部７は、その登録会員１２と同地域で、かつ、同一の契約体系の需要家の電力使用量の平均値（前年分の月別の平均値若しくは過去数年分の月別の平均値）を平均エネルギ使用量データベース３５から検索して取り出し、このデータとその登録会員の前年のエネルギ使用実績を示すデータを基礎として、削減目標作成プログラムを実行することによりその登録会員のエネルギ削減目標を作成し、これをｗｅｂサーバ１に送る。エネルギ削減目標の値は、同地域で、かつ、同一の契約体系の需要家の電力使用量の平均値とその登録会員の前年のエネルギ使用実績（電力使用量）の月別の差を基礎として作成される。すなわち、例えば月別の電力使用量の差が小さく、その需要者の電力使用量が平均値よりも若干だけ多い場合には、月別の差を今後一定期間（例えば3ヶ月間）のエネルギ削減目標に設定し、月別の差が大きな場合には平均値との差を段階的に縮め、一定期間（例えば3ヶ月）でその差がなくなるようにエネルギ削減目標を設定する。なおその登録会員１２の電力使用量が既に平均値を下回っている場合には、さらなる省エネに取り組んでもらうために、達成可能な妥当な範囲で一定のエネルギ削減目標が設定される。
登録会員１２の前年のエネルギ使用実績を示すデータテーブルおよび月別のエネルギ削減目標のデータを受信したｗｅｂサーバ１は、第１演算部６によってその登録会員の前年のエネルギ使用実績、同地域同一契約体系の需要家の電力使用量の前年分の平均値、および今後３ヶ月間のエネルギ使用量の目標値（エネルギ削減目標）を、一つのグラフに重ね、また、節約チャレンジの制度説明や参加受付ボタンを表示したページデータを作成し、これを送受信部５からインターネット接続回線を通じて登録会員の通信端末１４に送信する。
【００２７】
［省エネ術提供段階（Ｓ３）］
この段階は、登録会員が所有する電化製品に関する省エネ術を登録会員に提供する段階である。
ｗｅｂサーバ１の第１演算部６は、登録会員１２からの要求により、家庭用電化製品の一覧を記載したホームページのページデータを登録会員１２の通信端末１４に表示させる。登録会員１２は画面上に表示された家庭用電化製品一覧の電化製品ごとに設けられたチェックボックスのうち、節約を実施したい電化製品のチェックボックスにチェックを入れて選択し、そのデータを管理サーバ２２に送信する。データを受け付けた管理サーバ２２は、そのデータを第２演算部７に送り、第２演算部７は省エネ術抽出プログラムを実行することにより、各種の電化製品についての省エネ術を格納した省エネ術データベース３３から、選択された電化製品に関する節約術を抽出しこれをｗｅｂサーバ１の第１演算部６に送る。第１演算部６は選択された各電化製品に対応した節約術を記載したホームページのページデータを作成し、これを送受信部５からインターネット回線を通じて登録会員１２の通信端末１４に送信する。
なおこの段階は必須のものではなく、登録会員が節約術の情報の提供を希望する場合にのみ実施される段階である。
【００２８】
［参加申込段階（Ｓ４）］
この段階は、登録会員が通信端末の画面上に表示されたエネルギ削減目標を参照した後に、節約チャレンジへの参加申込みを行う段階である。
上記エネルギ削減目標送信段階で、前年のエネルギ使用実績、同地域同一契約体系の需要家の電力使用量の前年分の平均値、および今後３ヶ月間のエネルギ削減目標を重ねたグラフを参照した登録会員１２は、エネルギ削減目標を達成できるか否かをゲーム感覚で試みる節約チャレンジへの参加申込みをしようとする場合には、グラフが表示された画面と同じ画面にある参加受付ボタンをクリックすることで節約チャレンジへの申込みを行う。
登録会員１２からの節約チャレンジへの参加申込みを受信した管理サーバ２２は、この登録会員１２が節約チャレンジに参加中である旨をユーザ情報データベース３１に記録する。
【００２９】
［ポイント付与段階（Ｓ５）］
この段階は、節約チャレンジへの参加期間が終了した後に、管理サーバがポイントを登録会員に付与する段階である。
管理サーバ２２は節約チャレンジへの参加期間が終了した後に、まずエネルギ供給会社のホストコンピュータ４３に接続することにより、節約チャレンジへの参加期間中の登録会員１２のエネルギ使用量データの提供を受け取る。
管理サーバ２２のデータベースサーバ２の第２演算部７は、ポイント付与プログラム実行して、エネルギ削減目標の達成度に応じたポイントを登録会員１２に付与する。例えば、エネルギ削減目標を達成した場合には１０ポイント、削減目標の５０％を達成した場合には５ポイント、削減目標の１０％を達成した場合には１ポイントが付与されるものとする。
登録会員１２に与えられたポイントは、ユーザ情報データベース３１に記録される。また節約チャレンジに繰り返し参加申込みが行われる場合には、ポイントの合計点がユーザ情報データベース３１に記録されることになる。
【００３０】
［ポイント利用段階（Ｓ６）］
この段階は、登録会員が付与されたポイントを商品と交換する段階である。
獲得したポイントを商品と交換しようとする登録会員１２は、ポイント利用のために予め用意されたホームページにＩＤおよびパスワードを用いてアクセスする。管理サーバ２２のｗｅｂサーバ１はデータベースサーバ２に連絡することでアクセスした登録会員を特定し、要求されたホームページのページデータをその登録会員に送信する。登録会員１２は画面上に表示された商品群（商品データベース３７に格納されている）の中からポイントとの交換を希望する商品を選択し、これを管理サーバ２２に送信する。なお、商品群の各商品には交換に必要とされるポイント数が予め定められており、登録会員１２は獲得したポイントの総計の範囲内でポイントを商品に交換することができる。
登録会員１２からの商品選択を受信した管理サーバ２２のｗｅｂサーバ１は、データベースサーバ２にその情報を送り、第２演算部７はポイント利用プログラムを実行することによりユーザ情報データベース３１に記録されたポイント数（合計点）から商品交換に用いられたポイント分を差し引き、残りのポイント数を再びユーザ情報データベース３１に更新して記録する。
なおポイントは商品との交換の他に、電気料金への充当や各種サービス（割引）や金銭との交換ができるものとしてもよい。
【００３１】
以上説明したように、本発明の省エネ活動奨励方法によれば、通信ネットワークを利用して登録会員にエネルギ使用実績や、同地域同契約体系の需要者の電力使用量の平均値を提示するとともに、具体的なエネルギ削減目標を提示して節約チャレンジへの参加を促し、登録会員が省エネ活動に取り組んだ結果のエネルギ削減目標の達成度に応じて与えられるポイントを商品等と交換することができるようにすることで、登録会員は単に漠然と省エネ活動を行うのではなく、エネルギ使用量の低減の他にポイントの商品への交換というインセンティブの下、決められたエネルギ削減目標に向けて楽しみながらかつ積極的に省エネ活動に取り組むことが期待される。なお、需要家の所有する電化製品に応じた省エネ術の情報が登録会員に提供されるため、登録会員は具体的な省エネ指針に従って省エネを効果的に達成できるようになる。これにより環境負荷を軽減するための省エネが促進されることになる。
【００３２】
なお本発明の省エネ活動奨励方法は、発明の趣旨を逸脱しない範囲で適宜変更することができるのは勿論である。
【産業上の利用可能性】
【００３３】
上記実施例では電力の省エネについての省エネ活動奨励方法について説明したが、本発明は需要家に対してエネルギ削減目標を提示し、エネルギ削減目標の達成度に応じた報奨を与えることで省エネ活動を奨励するものであれば電力に限られず、ガスや水道の省エネ活動奨励にも適用することが可能である。
【図面の簡単な説明】
【００３４】
【図１】本発明に使用されるシステムの全体構成を示した概念図である。
【図２】本発明に使用される管理サーバの構成を示したブロック図である。
【図３】管理センタと一需要家である登録会員間との情報の授受を表したフローである。
【符号の説明】
【００３５】
１  ｗｅｂサーバ
２  データベースサーバ
４  通信ネットワーク回線
５  送受信部
６  第１演算部
７  第２演算部
８  データベース記憶部
１０  省エネ活動奨励システム
１２  登録会員
１４  通信端末
１６  通信ネットワーク回線
１８  エネルギ供給会社
２０  管理センタ
２２  管理サーバ
３１  ユーザ情報データベース
３３  省エネ術データベース
３５  平均エネルギ使用量データベース
３７  商品データベース
４３  ホストコンピュータ
Ｓ１  ログイン段階
Ｓ２  エネルギ削減目標送信段階
Ｓ３  省エネ術提供段階
Ｓ４  参加申込段階
Ｓ５  ポイント付与段階
Ｓ６  ポイント利用段階
Ｒ    エネルギ使用実績
Ｇ    エネルギ削減目標
Ｐ    ポイント
Ｈ    省エネ術
【図１】
2006163610.tif 000003
【図２】
2006163610.tif 000004
【図３】
2006163610.tif 000005